(57)【要約】【課題】人体シャドゥイングなどに対しても映像の乱れが発生しない安定したミリ波帯のビデオデータの無線伝送方式を提供する。【解決手段】ソース機器１からシンク機器１１へ解像度Ｒ１のビデオデータを無線パケット伝送し、ソース機器１はシンク機器１１の受信状況を確認し、シンク機器１１における受信品質が低下したとき、ソース機器１はビデオデータの解像度をＲ１からＲ２（Ｒ１＞Ｒ２）に切り替えて無線送信し、シンク機器１１は解像度Ｒ２のビデオデータを無線受信し、ビデオデータの解像度をＲ２からＲ１に戻して表示する。さらに、ソース機器１は無線送信するビデオデータの解像度を解像度Ｒ１から解像度Ｒ２に切り替えてから一定期間の経過後に解像度Ｒ１のテストデータを無線送信する。【選択図】図８
2007235370.tif 000002
【特許請求の範囲】
【請求項１】
ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えて無線送信し、前記シンク機器は解像度Ｒ２のビデオデータを無線受信し、ビデオデータの解像度をＲ２からＲ１に戻して表示することを特徴とするビデオデータの無線伝送方式。
【請求項２】
前記ソース機器は無線送信するビデオデータの解像度をＲ１からＲ２に切り替えてから一定期間の経過後に解像度Ｒ１のテストデータを無線送信し、前記シンク機器は解像度Ｒ１のテストデータを無線受信し、前記ソース機器は前記シンク機器の受信品質を確認し、品質が改善された場合、前記ソース機器はビデオデータの解像度をＲ２からＲ１（Ｒ１＞Ｒ２）に戻して無線送信し、前記シンク機器は解像度Ｒ１のビデオデータを無線受信し、解像度Ｒ１のビデオデータを表示することを特徴とする請求項１記載のビデオデータの無線伝送方式。
【請求項３】
前記ソース機器は、ビデオ再生部が出力するビデオデータから有効画素データを抽出する有効画素抽出部と、前記有効画素抽出部が出力するビデオデータのフォーマットを変換する第１Ａのフォーマット変換部と、前記第１Ａのフォーマット変換部が出力するビデオデータにオーディオデータやコントロールデータを多重し、暗号化を行う第１ＡのＡＶ処理部と、前記第１ＡのＡＶ処理部が出力するデータを無線信号に変換して第１Ａのアンテナから送信する第１Ａの無線送信部と、第２Ａのアンテナから前記シンク機器の受信品質情報を受信して前記第１Ａのフォーマット変換部を制御し、前記第１Ａのフォーマット変換部が出力するビデオデータのフォーマット情報を前記第２Ａのアンテナから送信する第２Ａの無線送受信部を備えたことを特徴とする請求項１記載のビデオデータの無線伝送方式。
【請求項４】
前記ソース機器は、ビデオ再生部が出力するビデオデータから有効画素データを抽出する有効画素抽出部と、前記有効画素抽出部が出力するビデオデータのフォーマットを変換する第２Ａのフォーマット変換部と、前記第２Ａのフォーマット変換部が出力するビデオデータにフォーマット情報やオーディオデータ及びコントロールデータを多重し、暗号化を行う第２ＡのＡＶ処理部と、前記第２ＡのＡＶ処理部が出力するパケットデータを無線信号に変換して第３Ａのアンテナから送信する第３Ａの無線送信部と、第４Ａのアンテナから前記シンク機器の受信品質情報を受信して前記第２Ａのフォーマット変換部を制御する第４Ａの無線送受信部を備えたことを特徴とする請求項１記載のビデオデータの無線伝送方式。
【請求項５】
前記シンク機器は、前記ソース機器が第１Ａのアンテナから送信する無線信号を受信する第１Ｂのアンテナと、前記第１Ｂのアンテナで受信した信号からパケットデータを再生する第１Ｂの無線受信部と、前記第１Ｂの無線受信部が出力するパケットを復号し、オーディオデータやコントロールデータと分離してビデオデータを出力する第１ＢのＡＶ処理部と、前記第１ＢのＡＶ処理部が出力するビデオデータのフォーマットを変換する第１Ｂのフォーマット変換部と、前記第１Ｂのフォーマット変換部が出力するビデオデータに水平／垂直帰線期間を付加して表示部にビデオデータを出力する帰線期間付加部と、第２Ｂのアンテナから前記ソース機器が無線送信するフォーマット情報を受信して、前記第１Ｂのフォーマット変換部を制御し、前記第１Ｂの無線受信部の受信品質情報を前記第２Ｂのアンテナから送信する第２Ｂの無線送受信部を備えたことを特徴とする請求項３記載のビデオデータの無線伝送方式。
【請求項６】
前記シンク機器は、前記ソース機器が第３Ａのアンテナから送信する無線信号を受信する第３Ｂのアンテナと、前記第３Ｂのアンテナで受信した信号からパケットデータを再生する第３Ｂの無線受信部と、前記第３Ｂの無線受信部が出力するパケットを分解してビデオデータとフォーマット情報を出力する第２Ｂのパケット処理部と、前記第２Ｂのパケット処理部が出力するビデオデータを前記第２Ｂのパケット処理部が出力するフォーマット情報からフォーマットを変換する第２Ｂのフォーマット変換部と、前記第２Ｂのフォーマット変換部が出力するビデオデータに水平／垂直帰線期間を付加して表示部にビデオデータを出力する帰線期間付加部と、前記第１Ｂの無線受信部の受信品質情報を第４Ｂのアンテナから送信する第４Ｂの無線送受信部を備えたことを特徴とする請求項４記載のビデオデータの無線伝送方式。
【請求項７】
ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えてビデオデータを再送信し、前記シンク機器は解像度Ｒ２のビデオデータを無線受信し、ビデオデータの解像度をＲ２からＲ１に戻して表示することを特徴とするビデオデータの無線伝送方式。
【請求項８】
ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えて再送信し、再送信するビデオデータは未送信のビデオデータと同一のパケットに収められており、前記シンク機器は解像度Ｒ２のビデオデータを無線受信し、ビデオデータの解像度をＲ２からＲ１に戻して表示することを特徴とするビデオデータの無線伝送方式。
【請求項９】
前記ソース機器は無線送信するビデオデータの解像度をＲ１からＲ２に切り替えてから、前記シンク機器の受信品質を確認し、品質が改善された場合、前記ソース機器はビデオデータの解像度をＲ２からＲ１（Ｒ１＞Ｒ２）に戻して無線送信し、前記シンク機器は解像度Ｒ１のビデオデータを無線受信し、解像度Ｒ１のビデオデータを表示することを特徴とする請求項８記載のビデオデータの無線伝送方式。
【請求項１０】
ソース機器からシンク機器へ色情報量Ｃ１のビデオデータを無線パケット伝送し、前記ソース機器は前記シンク機器の受信状況を確認し、前記シンク機器における受信品質が低下した場合、前記ソース機器はビデオデータの色情報量をＣ１からＣ２（Ｃ１＞Ｃ２）に切り替えて無線送信し、前記シンク機器は色情報量Ｃ２のビデオデータを無線受信し、ビデオデータの色情報量をＣ２からＣ１に戻して表示することを特徴とするビデオデータの無線伝送方式。
【請求項１１】
前記ソース機器は無線送信するビデオデータの色情報量をＣ１からＣ２に切り替えてから一定期間の経過後に色情報量Ｃ１のテストデータを無線送信し、前記シンク機器は色情報量Ｃ１のテストデータを無線受信し、前記ソース機器は前記シンク機器の受信品質を確認し、品質が改善された場合、前記ソース機器はビデオデータの色情報量をＣ２からＣ１（Ｃ１＞Ｃ２）に戻して無線送信し、前記シンク機器は色情報量Ｃ１のビデオデータを無線受信し、色情報量Ｃ１のビデオデータを表示することを特徴とする請求項１０記載のビデオデータの無線伝送方式。
【発明の詳細な説明】
【技術分野】
【０００１】
本発明は、ＤＶＤプレーヤーやセットトップボックスなどのＡＶ機器が再生出力するビデオデータをテレビなどの表示機器に伝送する無線伝送方式に関し、特に伝送品質が低下したときでも映像乱れを発生させないビデオデータの無線伝送方式に関する。
【背景技術】
【０００２】
１本のケーブルで、非圧縮のベースバンド映像信号とデジタル音声信号を伝送する次世代デジタルテレビ向けのインタフェース規格であるＨＤＭＩ（High Definition Multimedia Interface）を採用したＡＶ機器が普及し始めている。ここでＨＤＭＩとは、非特許文献１で規格化されているものである。これまでＡＶ機器間の接続には、映像や音声などの各信号用に複数のケーブルの使用が余儀なくされていたが、ＨＤＭＩでは１本のケーブル接続で済むために配線が極めてシンプルで、またデジタルデータであるのでノイズに強く高画質化が行える利点がある。さらに、双方向のコントロール信号も含んでいるので、テレビとＤＶＤプレーヤーを連動させたり、ホームシアターを構成すれば機器全体を制御させたりすることができる。ＨＤＭＩでは、高品質のコンテンツの伝送が可能であるために、提供されるコンテンツが不正に再生されたり、違法にコピーされたりしないようにコンテンツ保護方式として、ＨＤＣＰ（High-bandwidth Digital Content Protection System）が使用される。ＨＤＣＰでは、送信側と受信側の機器認証や認証のための鍵の共有方式、伝送されるコンテンツの暗号方式などが規定されている。
【０００３】
一方、このＨＤＭＩ信号を無線伝送することで、より機器設置の自由度を向上させ、また、ケーブルを無くすことで外観もすっきりして好ましいことを目的とした発明（特許文献１）が開示されている。図６は、従来技術のデジタルビデオの無線伝送装置の構成を示すブロック図である。図６において、６１はソース機器、６２はシンク機器、６３は第１の通信機器、６４は第２の通信機器、６５は第１のアンテナ、６６は第２のアンテナ、６７は第１のＨＤＭＩケーブル、６８は第２のＨＤＭＩケーブルである。
【０００４】
以上のように構成されたデジタルビデオの無線伝送方式について、以下その動作について説明する。ソース機器６１から出力されたビデオデータは、第１のＨＤＭＩケーブル６７を経由して第１の通信機器６３に入力される。前記第１の通信機器６３は、入力されたビデオデータを受信してベースバンド処理を行い、Ｇｂｓクラスの高速伝送が可能なミリ波帯に周波数変換して第１のアンテナ６５から送信する。前記第１のアンテナ６５から出力されたミリ波無線信号は、第２のアンテナ６６で受信される。前記第２のアンテナ６６の信号は、第２の通信機器６４において周波数変換やベースバンド処理されて、第２のＨＤＭＩケーブル６８を経由してシンク機器６２に入力される。前記シンク機器６２は、ビデオデータを画像表示する。
【０００５】
【特許文献１】米国特許出願公開第２００５／０１３６９９０Ａ１号明細書。
【非特許文献１】High-Definition Multimedia Interface Specification, Version1.1, HDMI Licensing, LLC, California in U.S.A., May 20,2004。
【発明の開示】
【発明が解決しようとする課題】
【０００６】
しかしながら上記のミリ波帯を用いたビデオデータの無線伝送方式では、ミリ波帯の電波は直線性が強いために、第１のアンテナ６５と第２のアンテナ６６の間に人が入ると（人体シャドゥイング）、前記第２のアンテナ６６で受信される電波強度が弱くなり、第２の通信機器６４で再生される受信データの品質が低下して、シンク機器６２で表示される映像が乱れるといった課題を有していた。
【０００７】
本発明の目的は以上の問題点を解決し、人体シャドゥイングなどに対しても映像の乱れが発生しない安定したビデオデータの無線伝送方式を提供することにある。
【課題を解決するための手段】
【０００８】
第１の発明に係るビデオデータの無線伝送方式は、ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えて無線送信し、前記シンク機器は解像度Ｒ２のビデオデータを無線受信し、ビデオデータの解像度をＲ２からＲ１に戻して表示することを特徴とする。
【０００９】
上記ビデオデータの無線伝送方式において、前記ソース機器は無線送信するビデオデータの解像度をＲ１からＲ２に切り替えてから一定期間の経過後に解像度Ｒ１のテストデータを無線送信し、前記シンク機器は解像度Ｒ１のテストデータを無線受信し、前記ソース機器は前記シンク機器の受信品質を確認し、品質が改善された場合、前記ソース機器はビデオデータの解像度をＲ２からＲ１（Ｒ１＞Ｒ２）に戻して無線送信し、前記シンク機器は解像度Ｒ１のビデオデータを無線受信し、解像度Ｒ１のビデオデータを表示することを特徴とする。
【００１０】
また、上記ビデオデータの無線伝送方式において、前記ソース機器は、ビデオ再生部が出力するビデオデータから有効画素データを抽出する有効画素抽出部と、前記有効画素抽出部が出力するビデオデータのフォーマットを変換する第１Ａのフォーマット変換部と、前記第１Ａのフォーマット変換部が出力するビデオデータにオーディオデータやコントロールデータを多重し、暗号化を行う第１ＡのＡＶ処理部と、前記第１ＡのＡＶ処理部が出力するデータを無線信号に変換して第１Ａのアンテナから送信する第１Ａの無線送信部と、第２Ａのアンテナから前記シンク機器の受信品質情報を受信して前記第１Ａのフォーマット変換部を制御し、前記第１Ａのフォーマット変換部が出力するビデオデータのフォーマット情報を前記第２Ａのアンテナから送信する第２Ａの無線送受信部を備えたことを特徴とする。
【００１１】
さらに、上記ビデオデータの無線伝送方式において、前記ソース機器は、ビデオ再生部が出力するビデオデータから有効画素データを抽出する有効画素抽出部と、前記有効画素抽出部が出力するビデオデータのフォーマットを変換する第２Ａのフォーマット変換部と、前記第２Ａのフォーマット変換部が出力するビデオデータにフォーマット情報やオーディオデータ及びコントロールデータを多重し、暗号化を行う第２ＡのＡＶ処理部と、前記第２ＡのＡＶ処理部が出力するパケットデータを無線信号に変換して第３Ａのアンテナから送信する第３Ａの無線送信部と、第４Ａのアンテナから前記シンク機器の受信品質情報を受信して前記第２Ａのフォーマット変換部を制御する第４Ａの無線送受信部を備えたことを特徴とする。
【００１２】
またさらに、上記ビデオデータの無線伝送方式において、前記シンク機器は、前記ソース機器が第１Ａのアンテナから送信する無線信号を受信する第１Ｂのアンテナと、前記第１Ｂのアンテナで受信した信号からパケットデータを再生する第１Ｂの無線受信部と、前記第１Ｂの無線受信部が出力するパケットを復号し、オーディオデータやコントロールデータと分離してビデオデータを出力する第１ＢのＡＶ処理部と、前記第１ＢのＡＶ処理部が出力するビデオデータのフォーマットを変換する第１Ｂのフォーマット変換部と、前記第１Ｂのフォーマット変換部が出力するビデオデータに水平／垂直帰線期間を付加して表示部にビデオデータを出力する帰線期間付加部と、第２Ｂのアンテナから前記ソース機器が無線送信するフォーマット情報を受信して、前記第１Ｂのフォーマット変換部を制御し、前記第１Ｂの無線受信部の受信品質情報を前記第２Ｂのアンテナから送信する第２Ｂの無線送受信部を備えたことを特徴とする。
【００１３】
またさらに、上記ビデオデータの無線伝送方式において、前記シンク機器は、前記ソース機器が第３Ａのアンテナから送信する無線信号を受信する第３Ｂのアンテナと、前記第３Ｂのアンテナで受信した信号からパケットデータを再生する第３Ｂの無線受信部と、前記第３Ｂの無線受信部が出力するパケットを分解してビデオデータとフォーマット情報を出力する第２ＢのＡＶ処理部と、前記第２ＢのＡＶ処理部が出力するビデオデータを前記第２ＢのＡＶ処理部が出力するフォーマット情報からフォーマットを変換する第２Ｂのフォーマット変換部と、前記第２Ｂのフォーマット変換部が出力するビデオデータに水平／垂直帰線期間を付加して表示部にビデオデータを出力する帰線期間付加部と、前記第３Ｂの無線受信部の受信品質情報を第４Ｂのアンテナから送信する第４Ｂの無線送受信部を備えたことを特徴とする。
【００１４】
第２の発明に係るビデオデータの無線伝送方式は、ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えてビデオデータを再送信し、前記シンク機器は解像度Ｒ２のビデオデータを無線受信し、ビデオデータの解像度をＲ２からＲ１に戻して表示することを特徴とする。
【００１５】
第３の発明に係るビデオデータの無線伝送方式は、ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えて再送信し、再送信するビデオデータは未送信のビデオデータと同一のパケットに収められており、前記シンク機器は解像度Ｒ２のビデオデータを無線受信し、ビデオデータの解像度をＲ２からＲ１に戻して表示することを特徴とする。
【００１６】
上記ビデオデータの無線伝送方式において、前記ソース機器は無線送信するビデオデータの解像度をＲ１からＲ２に切り替えてから、前記シンク機器の受信品質を確認し、品質が改善された場合、前記ソース機器はビデオデータの解像度をＲ２からＲ１（Ｒ１＞Ｒ２）に戻して無線送信し、前記シンク機器は解像度Ｒ１のビデオデータを無線受信し、解像度Ｒ１のビデオデータを表示することを特徴とする。
【００１７】
第４の発明に係るビデオデータの無線伝送方式は、ソース機器からシンク機器へ色情報量Ｃ１のビデオデータを無線パケット伝送し、前記ソース機器は前記シンク機器の受信状況を確認し、前記シンク機器における受信品質が低下した場合、前記ソース機器はビデオデータの色情報量をＣ１からＣ２（Ｃ１＞Ｃ２）に切り替えて無線送信し、前記シンク機器は色情報量Ｃ２のビデオデータを無線受信し、ビデオデータの色情報量をＣ２からＣ１に戻して表示することを特徴とする。
【００１８】
上記ビデオデータの無線伝送方式において、前記ソース機器は無線送信するビデオデータの色情報量をＣ１からＣ２に切り替えてから一定期間の経過後に色情報量Ｃ１のテストデータを無線送信し、前記シンク機器は色情報量Ｃ１のテストデータを無線受信し、前記ソース機器は前記シンク機器の受信品質を確認し、品質が改善された場合、前記ソース機器はビデオデータの色情報量をＣ２からＣ１（Ｃ１＞Ｃ２）に戻して無線送信し、前記シンク機器は色情報量Ｃ１のビデオデータを無線受信し、色情報量Ｃ１のビデオデータを表示することを特徴とする。
【発明の効果】
【００１９】
従って、本発明に係るビデオデータの無線伝送方式によれば、ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えて無線送信し、前記シンク機器は解像度Ｒ２のビデオデータを無線受信し、ビデオデータの解像度をＲ２からＲ１に戻して表示するという特徴を備え、シャドゥイングなどによって前記シンク機器における受信品質が低下した場合でも、前記ソース機器はビデオデータの解像度をＲ１からＲ２（Ｒ１＞Ｒ２）に切り替えて無線送信するので、伝送速度が少なく、無線回線に余裕が生じて、シャドゥイングなどによる信号ロスに強くなり、また解像度がＲ１からＲ２に切り替わっても前記シンク機器の内部でビデオデータの解像度をＲ２からＲ１に戻すので、切り替え時の映像の乱れが生じないようになり、人体シャドゥイングなどに対しても映像の乱れが発生しない安定したビデオデータの無線伝送方式を提供することができる。
【発明を実施するための最良の形態】
【００２０】
以下、本発明に係る実施形態について図面を参照して説明する。
【００２１】
第１の実施形態．
図１は、本発明の第１の実施形態に係るデジタルビデオの無線伝送装置の構成を示すブロック図である。図１において、ソース機器１は、ビデオ再生部２と、有効画素抽出部３と、第１Ａのフォーマット変換部４と、第１ＡのＡＶ処理部５と、第１Ａの無線送信部６と、第１Ａのアンテナ７と、第２Ａのアンテナ８と、第２Ａの無線送受信部９とを備え、シンク機器１１は、第１Ｂのアンテナ１２と、第１Ｂの無線受信部１３と、第１ＢのＡＶ処理部１４と、第１Ｂのフォーマット変換部１５と、帰線期間付加部１６と、第２Ｂのアンテナ１７と、第２Ｂの無線送受信部１８と、表示部１９とを備える。
【００２２】
図２は、図１のアンテナ７，８，１２，１７により送受信される無線信号のタイミングを示す図である。図２において、信号Ｄ１１から信号Ｄ１５は第１Ａのアンテナ７から送信されて第１Ｂのアンテナ１２で受信される無線信号であり、信号Ｆ１１から信号Ｆ１５は第２Ａのアンテナ８から送信されて第２Ｂのアンテナ１７で受信される無線信号であり、信号Ｂ１０から信号Ｂ１４は第２Ｂのアンテナ１７から送信されて第２Ａのアンテナ８で受信される信号である。
【００２３】
図８は、図１のソース機器１及びシンク機器１１によって実行されるビデオデータの無線伝送処理を示すフローチャートである。ソース機器１が送信する無線信号をシンク機器１１が受信する場合について説明する。図８において、まず、ステップＳ１においてソース機器１のビデオ再生部２はコンテンツを再生し、解像度Ｒ１のビデオデータを有効画素抽出部３に出力する。例えば、解像度Ｒ１は１０８０ｐである。有効画素抽出部３は、入力されたビデオデータから垂直帰線期間と水平帰線期間を除いた有効画素データのみを抽出し、第１Ａのフォーマット変換部４に出力する。第１Ａのフォーマット変換部４は入力されたビデオデータの解像度を入力解像度Ｒ１から出力解像度Ｒ２に変換する。ステップＳ２において第１ＡのＡＶ処理部５は、入力されたビデオデータにオーディオデータやコントロールデータを多重し、コンテンツ保護のための暗号化処理などを行い、第１Ａの無線送信部６に出力する。第１Ａの無線送信部６は入力されたデータを無線送信するためのベースバンド信号処理や高周波帯への周波数変換などを行い、第１Ａのアンテナ７から無線送信する。
【００２４】
ステップＳ３においてシンク機器１１の第１Ｂの無線受信部１３はソース機器１の第１Ａのアンテナ７から送信された無線信号を第１Ｂのアンテナ１２経由で受信し、周波数変換やデータを再生するためのベースバンド処理などを行い、第１ＢのＡＶ処理部１４にデータを出力する。第１ＢのＡＶ処理部１４は、入力されたデータを復号化処理し、オーディオデータやコントロールデータと分離してビデオデータを第１Ｂのフォーマット変換部１５に出力する。ステップＳ４において第１Ｂのフォーマット変換部１５は入力されたビデオデータの解像度を入力解像度Ｒ２から出力解像度Ｒ１に変換し、帰線期間付加部１６に出力する。帰線期間付加部１６は入力されたビデオデータに水平及び垂直帰線期間を付加して表示部１９にて画像を表示する。
【００２５】
ステップＳ５においてシンク機器１１の第１Ｂの無線受信部１３の受信品質は良好か否か、例えばデータ誤りが１０−９未満か否かを判断し、ＹＥＳのときはステップＳ６に進み、ビデオデータの解像度Ｒ２にＲ１を設定し、ＮＯのときはステップＳ１３に進み、ビデオデータの解像度Ｒ２に解像度Ｒ１より低い値を設定する。例えば、解像度Ｒ１が１０８０ｐのとき、解像度Ｒ２は１０８０ｉ又は７２０ｐである。ステップＳ７において第２Ｂの無線送受信部１８は、第１Ｂの無線受信部１３の受信品質情報を第２Ｂのアンテナ１７から無線送信する。
【００２６】
ステップＳ８においてソース機器１の第２Ａの無線送受信部９は、第２Ａのアンテナ８からシンク機器１１の受信品質情報を受信する。ステップＳ９において第２Ａの無線送受信部９は、第１Ａのフォーマット変換部４の出力解像度Ｒ２を設定する。
【００２７】
ステップＳ１０においてソース機器１の第２Ａの無線送受信部９は、第１Ａのフォーマット変換部４の出力解像度Ｒ２を第２Ａのアンテナ８から無線送信する。ステップＳ１１においてシンク機器１１の第２Ｂの無線送受信部１８は、ソース機器１の第２Ａのアンテナ８から送信されるビデオデータのフォーマット情報を第２Ｂのアンテナ１７経由で受信する。ステップＳ１２において第２Ｂの無線送受信部１８は、第１Ｂのフォーマット変換部１５の入力解像度Ｒ２を設定する。
【００２８】
従って、シンク機器１１の受信品質が良好のとき、ステップＳ１において出力解像度Ｒ２は入力解像度Ｒ１と同値であるため、第１Ａのフォーマット変換部４は入力されたビデオデータの解像度を変化させずに、第１ＡのＡＶ処理部５に出力する。同様に、ステップＳ４においても第１Ｂのフォーマット変換部１５は入力されたビデオデータの解像度を変化させずに、帰線期間付加部１６に出力する。
【００２９】
さらに、ソース機器１が無線送信するビデオデータの解像度Ｒ２を、Ｒ１からＲ１より低い値に切り替えてから一定期間（例えば６０フレーム）の経過後に、解像度Ｒ１のテストデータを第１Ａのアンテナ７から無線送信する。以下の処理は上記フローチャートのステップＳ３からステップ１３と同様である。
【００３０】
以上説明したように、第１の実施形態によれば、ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えて無線送信し、前記シンク機器は解像度Ｒ２のビデオデータを無線受信し、ビデオデータの解像度をＲ２からＲ１に戻して表示し、前記ソース機器は無線送信するビデオデータの解像度をＲ１からＲ２に切り替えてから一定期間の経過後に解像度Ｒ１のテストデータを無線送信し、前記シンク機器は解像度Ｒ１のテストデータを無線受信し、前記ソース機器は前記シンク機器の受信品質を確認し、品質が改善された場合、前記ソース機器はビデオデータの解像度をＲ２からＲ１（Ｒ１＞Ｒ２）に戻して無線送信し、前記シンク機器は解像度Ｒ１のビデオデータを無線受信し、解像度Ｒ１のビデオデータを表示することで、シャドゥイングなどによって前記シンク機器における受信品質が低下した場合でも、前記ソース機器はビデオデータの解像度をＲ１からＲ２（Ｒ１＞Ｒ２）に切り替えて無線送信するので、伝送速度が少なく、無線回線に余裕が生じて、シャドゥイングなどによる信号ロスに強くなり、また解像度がＲ１からＲ２に切り替わっても前記シンク機器の内部でビデオデータの解像度をＲ２からＲ１に戻すので、切り替え時の映像の乱れが生じないようになり、人体シャドゥイングなどに対しても映像の乱れが発生しない安定したビデオデータの無線伝送方式を提供することができるようになる。
【００３１】
第２の実施形態．
図７は本発明の第２の実施形態に係るデジタルビデオの無線伝送装置の構成を示すブロック図であり、図３は図７のアンテナ２７，２８，３２，３７により送受信される無線信号のタイミングを示す図であり、図９は、図７のソース機器２１及びシンク機器３１によって実行されるビデオデータの無線伝送処理を示すフローチャートである。第２の実施形態に係るデジタルビデオの無線伝送方式は、図８の第１の実施形態に係るデジタルビデオの無線伝送方式に比較して、図９に示すように、ビデオデータのフォーマット情報が第３Ａのアンテナ２７から送信され（ステップＳ３０）、ビデオデータのフォーマット情報が第３Ｂのアンテナ３２から受信される（ステップＳ３１）ことを特徴とする。
【００３２】
図７において、ソース機器２１は、ビデオ再生部２２と、有効画素抽出部２３と、第２Ａのフォーマット変換部２４と、第２ＡのＡＶ処理部２５と、第３Ａの無線送信部２６と、第３Ａのアンテナ２７と、第４Ａのアンテナ２８と、第４Ａの無線送受信部２９とを備え、シンク機器３１は、第３Ｂのアンテナ３２と、第３Ｂの無線受信部３３と、第２ＢのＡＶ処理部３４と、第２Ｂのフォーマット変換部３５と、帰線期間付加部３６と、第４Ｂのアンテナ３７と、第４Ｂの無線送受信部３８と、表示部３９とを備える。
【００３３】
図３において、信号Ｄ２１から信号Ｄ２５は第３Ａのアンテナ２７から送信されて第３Ｂのアンテナ３２で受信される無線信号であり、信号Ｂ２０から信号Ｂ２４は第４Ｂのアンテナ３７から送信されて第４Ａのアンテナ２８で受信される信号である。
【００３４】
ソース機器２１が送信する無線信号をシンク機器３１が受信する場合について説明する。図９において、まず、ステップＳ２１においてソース機器２１のビデオ再生部２２はコンテンツを再生し、解像度Ｒ１のビデオデータを有効画素抽出部２３に出力する。例えば、解像度Ｒ１は１０８０ｐである。有効画素抽出部２３は、入力されたビデオデータから垂直帰線期間と水平帰線期間を除いた有効画素データのみを抽出し、第２Ａのフォーマット変換部２４に出力する。第２Ａのフォーマット変換部２４は入力されたビデオデータの解像度を入力解像度Ｒ１から出力解像度Ｒ２に変換する。ステップＳ２２において第２ＡのＡＶ処理部２５は、入力されたビデオデータにオーディオデータやコントロールデータ及び第２Ａのフォーマット変換部２４が出力するビデオデータの解像度情報（１０８０ｐ）を多重し、コンテンツ保護のための暗号化処理などを行い、第３Ａの無線送信部２６に出力する。第３Ａの無線送信部２６は入力されたデータを無線送信するためのベースバンド信号処理や高周波帯への周波数変換などを行い、第３Ａのアンテナ２７から無線送信する。
【００３５】
ステップＳ２３においてシンク機器３１の第３Ｂの無線受信部３３はソース機器２１の第３Ａのアンテナ２７から送信された無線信号を第３Ｂのアンテナ３２経由で受信し、周波数変換やデータを再生するためのベースバンド処理などを行い、第２ＢのＡＶ処理部３４にデータを出力する。第２ＢのＡＶ処理部３４は、入力されたデータを復号化処理し、オーディオデータやコントロールデータ及びビデオデータの解像度情報を分離してビデオデータを第２Ｂのフォーマット変換部３５に出力する。ステップＳ２４において第２Ｂのフォーマット変換部３５は入力されたビデオデータの解像度を入力解像度Ｒ２から出力解像度Ｒ１に変換し、帰線期間付加部３６に出力する。帰線期間付加部３６は入力されたビデオデータに水平及び垂直帰線期間を付加して表示部３９にて画像を表示する。
【００３６】
ステップＳ２５においてシンク機器３１の第３Ｂの無線受信部３３の受信品質は良好か否か、例えばデータ誤りが１０−９未満か否かを判断し、ＹＥＳのときはステップＳ２６に進み、ビデオデータの解像度Ｒ２にＲ１を設定し、ＮＯのときはステップＳ３３に進み、ビデオデータの解像度Ｒ２にＲ１より低い値を設定する。例えば、解像度Ｒ１が１０８０ｐのとき、Ｒ２は１０８０ｉ又は７２０ｐである。ステップＳ２７において第４Ｂの無線送受信部３８は、第３Ｂの無線受信部３３の受信品質情報を第４Ｂのアンテナ３７から無線送信する。
【００３７】
ステップＳ２８においてソース機器２１の第４Ａの無線送受信部２９は、第４Ａのアンテナ２８からシンク機器３１の受信品質情報を受信する。ステップＳ２９において第４Ａの無線送受信部２９は、第２Ａのフォーマット変換部２４の出力解像度Ｒ２を設定する。
【００３８】
ステップＳ３０においてソース機器２１の第３Ａの無線送信部２６は、第２Ａのフォーマット変換部２４の出力解像度Ｒ２を第３Ａのアンテナ２７から無線送信する。ステップＳ３１においてシンク機器３１の第３Ｂの無線受信部３３は、ソース機器２１の第３Ａのアンテナ２７から送信されるビデオデータのフォーマット情報を第３Ｂのアンテナ３２経由で受信する。ステップＳ３２において第３Ｂの無線受信部３３は、第２Ｂのフォーマット変換部３５の入力解像度Ｒ２を設定する。
【００３９】
従って、シンク機器３１の受信品質が良好のとき、ステップＳ３１において出力解像度Ｒ２は入力解像度Ｒ１と同値であるため、第２Ａのフォーマット変換部２４は入力されたビデオデータの解像度を変化させずに、第２ＡのＡＶ処理部２５に出力する。同様に、ステップＳ２４においても第２Ｂのフォーマット変換部３５は入力されたビデオデータの解像度を変化させずに、帰線期間付加部３６に出力する。
【００４０】
さらに、ソース機器２１が無線送信するビデオデータの解像度Ｒ２を、Ｒ１からＲ１より低い値に切り替えてから一定期間（例えば６０フレーム）の経過後に、解像度Ｒ１のテストデータを第３Ａのアンテナ２７から無線送信する。以下の処理は上記フローチャートのステップＳ２３からステップ３３と同様である。
【００４１】
以上説明したように、第２の実施形態によれば、ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えて無線送信し、前記シンク機器は解像度Ｒ２のビデオデータを無線受信し、ビデオデータの解像度をＲ２からＲ１に戻して表示し、前記ソース機器は無線送信するビデオデータの解像度をＲ１からＲ２に切り替えてから一定期間の経過後に解像度Ｒ１のテストデータを無線送信し、前記シンク機器は解像度Ｒ１のテストデータを無線受信し、前記ソース機器は前記シンク機器の受信品質を確認し、品質が改善された場合、前記ソース機器はビデオデータの解像度をＲ２からＲ１（Ｒ１＞Ｒ２）に戻して無線送信し、前記シンク機器は解像度Ｒ１のビデオデータを無線受信し、解像度Ｒ１のビデオデータを表示することで、シャドゥイングなどによって前記シンク機器における受信品質が低下した場合でも、前記ソース機器はビデオデータの解像度をＲ１からＲ２（Ｒ１＞Ｒ２）に切り替えて無線送信するので、伝送速度が少なく、無線回線に余裕が生じて、シャドゥイングなどによる信号ロスに強くなり、また解像度がＲ１からＲ２に切り替わっても前記シンク機器の内部でビデオデータの解像度をＲ２からＲ１に戻すので、切り替え時の映像の乱れが生じないようになり、人体シャドゥイングなどに対しても映像の乱れが発生しない安定したビデオデータの無線伝送方式を提供することができるようになる。
【００４２】
以上の第２の実施形態においては、第３Ａのアンテナ２７、第３Ｂのアンテナ３２、第４Ａのアンテナ２８及び第４Ｂのアンテナ３７の周波数帯は同じであっても、異なっていてもよい。
【００４３】
以上の第２の実施形態においては、有効画素抽出部２３はビデオ再生部２２と第２Ａのフォーマット変換部２４の間の処理ブロックとしたが、本発明はこれに限らず、第２Ａのフォーマット変換部２４と第２ＡのＡＶ処理部２５の間、又は第２ＡのＡＶ処理部２５と第３Ａの無線送信部２６との間にあってもよい。
【００４４】
以上の第２の実施形態においては、帰線期間付加３６は表示部３９と第２Ｂのフォーマット変換部３５の間の処理ブロックとしたが、本発明はこれに限らず、第２Ｂのフォーマット変換部３５と第２ＢのＡＶ処理部３４の間、又は第２ＢのＡＶ処理部３４と第３Ｂの無線送信部３３との間にあってもよい。
【００４５】
第３の実施形態．
図１は本発明の第３の実施形態に係るデジタルビデオの無線伝送装置の構成を示すブロック図であり、図４は図１のアンテナ７，８，１２，１７により送受信される無線信号のタイミングを示す図である。第３の実施形態に係るデジタルビデオの無線伝送方式は、図２の第１の実施形態に係るデジタルビデオの無線伝送方式に比較して、図４に示すように、シンク機器１１における受信品質が低下したとき、ソース機器１はビデオデータの解像度をＲ１からＲ２（Ｒ１＞Ｒ２）に切り替えて、ビデオデータを再送信することを特徴とする。第３の実施形態に係るデジタルビデオの無線伝送装置の構成は、図１の第１の実施形態に係るデジタルビデオの無線伝送装置と同様の構成であるため説明を省略する。
【００４６】
図４において、信号Ｄ３１から信号Ｄ３５は第１Ａのアンテナ７から送信されて第１Ｂのアンテナ１２で受信される無線信号であり、信号Ｆ３１から信号Ｆ３５は第２Ａのアンテナ８から送信されて第２Ｂのアンテナ１７で受信される無線信号であり、信号Ｂ３０から信号Ｂ３４は第２Ｂのアンテナ１７から送信されて第２Ａのアンテナ８で受信される信号である。
【００４７】
シンク機器１１の受信品質が低下した場合について説明する。ソース機器１の第２Ａの無線送受信部９は指定されるビデオデータの解像度Ｒ２に、入力されるビデオデータの解像度Ｒ１より低い値を設定する。例えば、Ｒ２は１０８０ｉ又は７２０ｐである。第１Ａのフォーマット変換部４は出力済みのビデオデータと入力されたビデオデータを合成したビデオデータを解像度Ｒ２に変換し、第１ＡのＡＶ処理部５に出力する。第１Ａのフォーマット変換部４が合成するビデオデータの解像度Ｒ２は、出力済みのビデオデータの解像度Ｒ３と、入力されたビデオデータの解像度Ｒ４と、解像度Ｒ３と解像度Ｒ４の和となる。例えば、解像度Ｒ３，Ｒ４は１０８０ｉの１／２或いは７２０ｉである。出力済みのビデオデータが合成されるのは、シンク機器１１の受信品質が低下し、第２Ａの無線送受信部９によって指定されるビデオデータの解像度Ｒ２が入力されるビデオデータの解像度Ｒ１より低く制御された切り替えタイミング時だけであり、以降に入力されるビデオデータについては、出力済みのビデオデータは合成されずに、第１Ａのフォーマット変換部４は入力されたビデオデータの解像度Ｒ１を解像度Ｒ２に変換する。
【００４８】
第１ＡのＡＶ処理部５は、入力されたビデオデータにオーディオデータやコントロールデータを多重したり、コンテンツ保護のための暗号化処理などを行い、第１Ａの無線送信部６に出力する。第１Ａの無線送信部６は入力されたデータを無線送信するためのベースバンド信号処理や高周波帯への周波数変換などを行い、第１Ａのアンテナ７から無線送信する（信号Ｄ３２Ｒ及び信号Ｄ３３）。第２Ａの無線送受信部９は、第２Ａのアンテナ８から前記シンク機器１１の受信品質情報を受信して（信号Ｂ３２）、第１Ａのフォーマット変換部４を制御し、また第１Ａのフォーマット変換部４が出力するビデオデータの解像度情報Ｒ２と、Ｒ３と、Ｒ４とを第２Ａのアンテナ８から無線送信する（信号Ｆ３３）。
【００４９】
シンク機器１１の第２Ｂの無線送受信部１８は第２Ｂのアンテナ１７からソース機器１が無線送信する解像度情報Ｒ２，Ｒ３，Ｒ４を受信し（信号Ｆ３３）、第１Ｂのフォーマット変換部１５を制御する。第１Ｂのフォーマット変換部１５は再送信されたビデオデータと新規ビデオデータをそれぞれ解像度Ｒ３と解像度Ｒ４から解像度Ｒ１に変換し、順番に帰線期間付加部１６に出力する。上記以外の処理は、図８と同様の処理であるため説明を省略する。
【００５０】
以上説明したように、第３の実施形態によれば、ソース機器からシンク機器へ解像度Ｒ１のビデオデータを無線パケット伝送し、前記ソース機器は前記シンク機器の受信状況を確認し、前記シンク機器における受信品質が低下した場合、前記ソース機器はビデオデータの解像度をＲ１からＲ２（Ｒ１＞Ｒ２）に切り替えて無線再送信し、前記シンク機器は解像度Ｒ２のビデオデータを無線受信し、ビデオデータの解像度をＲ２からＲ１に戻して表示し、前記ソース機器は無線送信するビデオデータの解像度をＲ１からＲ２に切り替えてから一定期間の経過後に解像度Ｒ１のテストデータを無線送信し、前記シンク機器は解像度Ｒ１のテストデータを無線受信し、前記ソース機器は前記シンク機器の受信品質を確認し、品質が改善された場合、前記ソース機器はビデオデータの解像度をＲ２からＲ１（Ｒ１＞Ｒ２）に戻して無線送信し、前記シンク機器は解像度Ｒ１のビデオデータを無線受信し、解像度Ｒ１のビデオデータを表示することで、シャドゥイングなどによって前記シンク機器における受信品質が低下した場合でも、前記ソース機器はビデオデータの解像度をＲ１からＲ２（Ｒ１＞Ｒ２）に切り替えて無線送信するので、伝送速度が少なく、無線回線に余裕が生じて、シャドゥイングなどによる信号ロスに強くなり、また解像度がＲ１からＲ２に切り替わっても前記シンク機器の内部でビデオデータの解像度をＲ２からＲ１に戻すので、切り替え時の映像の乱れが生じないようになり、人体シャドゥイングなどに対しても映像の乱れが発生しない安定したビデオデータの無線伝送方式を提供することができるようになる。
【００５１】
以上の第３の実施形態においては、出力済みのビデオデータが合成されるのは、シンク機器１１の受信品質が低下し、第２Ａの無線送受信部９によって指定されるビデオデータの解像度Ｒ２が入力されるビデオデータの解像度Ｒ１より低く制御された切り替えタイミング時だけとしたが、本発明はこれに限らず、一定時間の間、又はシンク機器１１からの指示により合成のタイミングが制御されてもよい。
【００５２】
第４の実施形態．
図１は本発明の第４の実施形態に係るデジタルビデオの無線伝送装置の構成を示すブロック図であり、図５は図１のアンテナ７，８，１２，１７により送受信される無線信号のタイミングを示す図である。第４の実施形態に係るデジタルビデオの無線伝送方式は、第１の実施形態に係るデジタルビデオの無線伝送方式に比較して、シンク機器１１における受信品質が低下した場合、ソース機器１はビデオデータの色情報量をＣ１からＣ２（Ｃ１＞Ｃ２）に切り替えて無線送信し、シンク機器１１は色情報量Ｃ２のビデオデータを無線受信し、ビデオデータの色情報量をＣ２からＣ１に戻して表示することを特徴とする。第３の実施形態に係るデジタルビデオの無線伝送装置の構成は、図１の第１の実施形態に係るデジタルビデオの無線伝送装置と同様の構成であるため説明を省略する。
【００５３】
図５において、信号Ｄ４１から信号Ｄ４５は第１Ａのアンテナ７から送信されて第１Ｂのアンテナ１２で受信される無線信号であり、信号Ｆ４１から信号Ｆ４５は第２Ａのアンテナ８から送信されて第２Ｂのアンテナ１７で受信される無線信号であり、信号Ｂ４０から信号Ｂ４４は第２Ｂのアンテナ１７から送信されて第２Ａのアンテナ８で受信される信号である。
【００５４】
シンク機器１１の受信品質が低下した場合について説明する。ソース機器１において、ビデオ再生部２はコンテンツを再生し、色情報量Ｃ１のビデオデータを有効画素抽出部３に出力する。例えば、色情報量Ｃ１はＹ：Ｃｂ：Ｃｒ＝４：４：４である。有効画素抽出部３は、入力されたビデオデータから垂直帰線期間と水平帰線期間を除いた有効画素データのみを抽出し、第１Ａのフォーマット変換部４に出力する。第１Ａのフォーマット変換部４は入力されたビデオデータの色情報量を色情報量Ｃ１から色情報量Ｄ２に変換する。第２Ａの無線送受信部９によって指定されるビデオデータの色情報量Ｃ２は、入力されるビデオデータの色情報量Ｃ１より低く、第１Ａのフォーマット変換部４は入力されたビデオデータの色情報量Ｃ２に変換し、第１ＡのＡＶ処理部５に出力する。例えば、色情報量Ｃ２はＹ：Ｃｂ：Ｃｒ＝４：２：２である。
【００５５】
第１ＡのＡＶ処理部５は、入力されたビデオデータにオーディオデータやコントロールデータを多重したり、コンテンツ保護のための暗号化処理などを行い、第１Ａの無線送信部６に出力する。第１Ａの無線送信部６は入力されたデータを無線送信するためのバースバンド信号処理や高周波帯への周波数変換などを行い、第１Ａのアンテナ７から無線送信する（信号Ｄ４３）。第２Ａの無線送受信部９は、第２Ａのアンテナ８からシンク機器１１の受信品質情報を受信して（信号Ｂ４２）、前記第１Ａのフォーマット変換部４を制御し、また第１Ａのフォーマット変換部４が出力するビデオデータの色情報量Ｃ２を第２Ａのアンテナ８から無線送信する（信号Ｆ４３）。
【００５６】
シンク機器１１の第２Ｂの無線送受信部１８は第２Ｂのアンテナ１７からソース機器１が無線送信する色情報量Ｃ２を受信して（信号Ｆ４３）、第１Ｂのフォーマット変換部１５を制御する。第１Ｂのフォーマット変換部１５はそれぞれ入力されたビデオデータの色情報量を色情報量Ｃ２から色情報量Ｃ１に変換し、帰線期間付加部１６に出力する。上記以外の処理は、図８と同様の処理であるため説明を省略する。
【００５７】
以上説明したように、第４の実施形態によれば、ソース機器からシンク機器へ色情報量Ｃ１のビデオデータを無線パケット伝送し、前記ソース機器は前記シンク機器の受信状況を確認し、前記シンク機器における受信品質が低下した場合、前記ソース機器はビデオデータの色情報量をＣ１からＣ２（Ｃ１＞Ｃ２）に切り替えて無線送信し、前記シンク機器は色情報量Ｃ２のビデオデータを無線受信し、ビデオデータの色情報量をＣ２からＣ１に戻して表示し、前記ソース機器は無線送信するビデオデータの色情報量をＣ１からＣ２に切り替えてから一定期間の経過後に色情報量Ｃ１のテストデータを無線送信し、前記シンク機器は色情報量Ｃ１のテストデータを無線受信し、前記ソース機器は前記シンク機器の受信品質を確認し、品質が改善された場合、前記ソース機器はビデオデータの色情報量をＣ２からＣ１（Ｃ１＞Ｃ２）に戻して無線送信し、前記シンク機器は色情報量Ｃ１のビデオデータを無線受信し、色情報量Ｃ１のビデオデータを表示することで、シャドゥイングなどによって前記シンク機器における受信品質が低下した場合でも、前記ソース機器はビデオデータの色情報量をＣ１からＣ２（Ｃ１＞Ｃ２）に切り替えて無線送信するので、伝送速度が少なく、無線回線に余裕が生じて、シャドゥイングなどによる信号ロスに強くなり、また色情報量がＣ１からＣ２に切り替わっても前記シンク機器の内部でビデオデータの色情報量をＣ２からＣ１に戻すので、切り替え時の映像の乱れが生じないようになり、人体シャドゥイングなどに対しても映像の乱れが発生しない安定したビデオデータの無線伝送方式を提供することができるようになる。
【００５８】
以上の第１から第４の実施形態においては、ソース機器１は無線送信するビデオデータの解像度を解像度Ｒ１から解像度Ｒ２に切り替えてから一定期間の経過後に解像度Ｒ１のテストデータを無線送信するとしたが、本発明はこれに限らず、テストデータは送信せずに、シンク機器１１からの要求によってビデオデータの解像度をＲ１に戻しても良い。
【００５９】
以上の第１、第３及び第４の実施形態においては、第１Ａのアンテナ７、第１Ｂのアンテナ１２、第２Ａのアンテナ８及び第２Ｂのアンテナ１７の周波数帯は同じであっても、異なっていてもよい。
【００６０】
以上の第１、第３及び第４の実施形態においては、有効画素抽出部３はビデオ再生部２と第１Ａのフォーマット変換部４の間の処理ブロックとしたが、本発明はこれに限らず、第１Ａのフォーマット変換部４と第１ＡのＡＶ処理部５の間、又は第１ＡのＡＶ処理部５と第１Ａの無線送信部６との間にあってもよい。
【００６１】
以上の第１、第３及び第４の実施形態においては、帰線期間付加１６は表示部１９と第１Ｂのフォーマット変換部１５の間の処理ブロックとしたが、本発明はこれに限らず、第１Ｂのフォーマット変換部１５と第１ＢのＡＶ処理部１４の間、又は第１ＢのＡＶ処理部１４と第１Ｂの無線送信部１３との間にあってもよい。
【産業上の利用可能性】
【００６２】
本発明に係るビデオデータの無線伝送方式は、ＡＶ機器間で非圧縮のベースバンド映像信号やデジタル音声信号を無線伝送する無線伝送方式として有用である。
【図面の簡単な説明】
【００６３】
【図１】本発明の第１、第３及び第４の実施形態に係るデジタルビデオの無線伝送装置の構成を示すブロック図である。
【図２】図１のアンテナ７，８，１２，１７により送受信される無線信号のタイミングを示す図である。
【図３】図７のアンテナ２７，２８，３２，３７により送受信される無線信号のタイミングを示す図である。
【図４】第３の実施形態に係る図１のアンテナ７，８，１２，１７により送受信される無線信号のタイミングを示す図である。
【図５】第４の実施形態に係る図１のアンテナ７，８，１２，１７により送受信される無線信号のタイミングを示す図である。
【図６】従来技術のデジタルビデオの無線伝送装置の構成を示すブロック図である。
【図７】本発明の第２の実施形態に係るデジタルビデオの無線伝送装置の構成を示すブロック図である。
【図８】図１のソース機器１及びシンク機器１１によって実行されるビデオデータの無線伝送処理を示すフローチャートである。
【図９】図７のソース機器２１及びシンク機器３１によって実行されるビデオデータの無線伝送処理を示すフローチャートである。
【符号の説明】
【００６４】
１，２１，６１…ソース機器、
２，２２…ビデオ再生部、
３，２３…有効画素抽出部、
４，２４…第１Ａのフォーマット変換部、
５…第１ＡのＡＶ処理部、
６…第１Ａの無線送信部、
７…第１Ａのアンテナ、
８…第２Ａのアンテナ、
９…第２Ａの無線送受信部、
１１，３１，６２…シンク機器、
１２…第１Ｂのアンテナ、
１３…第１Ｂの無線受信部、
１４…第１ＢのＡＶ処理部、
１５…第１Ｂのフォーマット変換部、
１６，３６…帰線期間付加部、
１７…第２Ｂのアンテナ、
１８…第２Ｂの無線送受信部、
１９，３９…表示部、
２４…第２Ａのフォーマット変換部、
２５…第２ＡのＡＶ処理部、
２６…第３Ａの無線送信部、
２７…第３Ａのアンテナ、
２８…第４Ａのアンテナ、
２９…第４Ａの無線送受信部、
３２…第３Ｂのアンテナ、
３３…第３Ｂの無線受信部、
３４…第２ＢのＡＶ処理部、
３５…第２Ｂのフォーマット変換部、
３７…第４Ｂのアンテナ、
３８…第４Ｂの無線送受信部、
６３…第１の通信機器、
６４…第２の通信機器、
６５…第１のアンテナ、
６６…第２のアンテナ、
６７…第１のＨＤＭＩケーブル、
６８…第２のＨＤＭＩケーブル。
【図１】
2007235370.tif 000003
【図２】
2007235370.tif 000004
【図３】
2007235370.tif 000005
【図４】
2007235370.tif 000006
【図５】
2007235370.tif 000007
【図６】
2007235370.tif 000008
【図７】
2007235370.tif 000009
【図８】
2007235370.tif 000010
【図９】
2007235370.tif 000011